(57)【要約】【課題】第一の洗濯槽と第二の洗濯槽を配備しているドラム式洗濯機において、デリケートな衣類を損傷なく効率的に洗濯できるドラム式洗濯機を実現する。【解決手段】第一の洗濯槽１１２と第二の洗濯槽１５２を配備しているドラム式洗濯機において、上部に配備された第一の洗濯槽１１２の第一の回転ドラム１１１内に、第一の回転ドラム１１１の内径に所定の隙間を設けてその外径が形成された中空略円柱形状で、その奥行きは第一の洗濯槽１１２の開口部を閉鎖する扉体１１４が閉じられた状態の第一の洗濯槽１１２の洗濯物投入口側と、第一の回転ドラム１１１奥側との間に所定の隙間を設けた長さで形成されている着脱自在な洗濯カゴ２００を備えたものであり、デリケートな衣類を損傷なく効率的に洗濯することができる。【選択図】図３
2017121394.tif 000002
【特許請求の範囲】
【請求項１】
回転自在な第一の回転ドラムが内部に配設された第一の洗濯槽と、回転自在な第二の回転ドラムが内部に配設された第二の洗濯槽を配備しているドラム式洗濯機において、前記第一、第二の少なくとも一つの回転ドラムに対し、回転ドラム内径に所定の隙間を設けてその外径が形成された中空略円柱形状で、その奥行きは前記第一、第二の洗濯槽のうち対応する洗濯槽の開口部を閉鎖する扉体が閉じられた状態の洗濯槽の洗濯物投入口側と、回転ドラム奥側との間に所定の隙間を設けた長さで形成されている着脱自在な洗濯カゴを備えたドラム式洗濯機。
【請求項２】
前記洗濯カゴは、側面と背面にハニカム形状の穴を配置した請求項１記載のドラム式洗濯機。
【請求項３】
前記洗濯カゴは、外径が形成された中空略円柱形状の外周面に、開閉できる構造体を設け、前記開閉できる構造体の閉状態を保持する構造を設けた請求項１または２記載のドラム式洗濯機。
【請求項４】
前記洗濯カゴは、前面に引き手を形成し、前記対応する回転ドラムに対する着脱性を容易にした請求項１〜３のいずれか１項記載のドラム式洗濯機。
【請求項５】
前記第一の回転ドラムおよび第二の回転ドラムは、側面内周に衣類を攪拌するための複数の凸部を備え、前記洗濯カゴは、前記第一、第二の回転ドラムのうち対応する回転ドラムの前記凸部に対向する側面外周部分に、前記凸部に沿うように溝部を備えた請求項１〜４のいずれか１項記載のドラム式洗濯機。
【請求項６】
前記第一の回転ドラムおよび第二の回転ドラムは、側面内周に衣類を攪拌するための複数の凸部を備え、前記洗濯カゴは、前記第一、第二の回転ドラムのうち対応する回転ドラムの側面内周に設けられた前記凸部に対向する側面外周部分を可撓性のある材質、形状、形態で構成した請求項１〜５のいずれか１項記載のドラム式洗濯機。
【請求項７】
前記洗濯カゴの可撓性のある材質は、ゴム等の軟質材料である請求項６記載のドラム式洗濯機。
【請求項８】
前記洗濯カゴの形状は、その一部に蛇腹形状部を設けた請求項６記載のドラム式洗濯機。
【請求項９】
前記洗濯カゴの形態は、前記溝部の内部にバネ材を組み込んで構成した請求項６記載のドラム式洗濯機。
【請求項１０】
前記洗濯カゴは、前記溝部を側面外周の外面に形成することにより、前記側面外周の内面の前記溝部に対応する位置に衣類を攪拌するための突起部を形成した請求項５〜９のいずれか１項記載のドラム式洗濯機。
【発明の詳細な説明】
【技術分野】
【０００１】
本発明は、洗濯物を収容して回転可能な回転ドラムを備え、回転ドラム内で洗濯物の洗い、すすぎ、脱水を行うドラム式洗濯機に関する。
【背景技術】
【０００２】
回転自在な回転ドラムがそれぞれ内部に配設された第一の洗濯槽と第二の洗濯槽を配備しているドラム式洗濯機が開発されている（例えば、特許文献１参照）。特許文献１には、第一の洗濯槽と第二の洗濯槽を配備しているドラム式洗濯機の一例が記載されている。
【先行技術文献】
【特許文献】
【０００３】
【特許文献１】中国特許出願公開第１０３８５００８５号明細書
【発明の概要】
【発明が解決しようとする課題】
【０００４】
昨今では多種多様な繊維素材を用いた衣類や色彩鮮やかな模様の施された衣類などが市場に多く提供されている。それら衣類などを洗濯する場合には、繊維素材や色彩毎にそれぞれ分別し洗濯を行うために、第一の洗濯槽と第二の洗濯槽を備えたドラム式洗濯機が提供されている。
【０００５】
しかし、上記のような従来の第一の洗濯槽と第二の洗濯槽を配備しているドラム式洗濯機では、洗濯槽があらゆる種類の衣類を効率よく洗濯できる構造に構成されていた。デリケートな材質の衣類は上記のようなあらゆる種類の衣類を効率よく洗濯できる構造の回転ドラム内で攪拌されるため、上記従来のドラム式洗濯機の洗濯槽構成、特に、側面や底面に設けられた穴や凸部の形状や材質の構成によっては、損傷しやすいと言った課題があった。
【０００６】
本発明は、上記従来の課題を解決するもので、デリケートな衣類の損傷を防止する構成を備えたドラム式洗濯機を提供することを目的とする。
【課題を解決するための手段】
【０００７】
前記従来の課題を解決するために本発明のドラム式洗濯機は、回転自在な第一の回転ドラムが内部に配設された第一の洗濯槽と回転自在な第二の回転ドラムが内部に配設された第二の洗濯槽を配備しているドラム式洗濯機において、前記第一、第二の少なくとも一つの回転ドラムに対し、回転ドラム内径に所定の隙間を設けてその外径が形成された中空略円柱形状で、その奥行きは前記第一、第二の洗濯槽のうち対応する洗濯槽の開口部を閉鎖する扉体が閉じられた状態の洗濯槽の洗濯物投入口側と、回転ドラム奥側との間に所定の隙間を設けた長さで形成されている着脱自在な洗濯カゴを備えたドラム式洗濯機である。
【０００８】
これにより、デリケート衣類に対しても損傷を防止した適切な洗濯を行うことができる。
【発明の効果】
【０００９】
本発明に係るドラム式洗濯機は、洗濯槽に着脱自在なデリケート衣類の洗濯に好適な洗濯カゴを配備しているので、デリケート衣類の損傷を防止するのに適した洗濯をすることができる。また、洗濯カゴは着脱容易であるため、衣類の投入、洗濯後の衣類の取り出しも容易に行うことが可能となる。
【図面の簡単な説明】
【００１０】
【図１】本発明の実施の形態１におけるドラム式洗濯機の外観斜視図
【図２】同ドラム式洗濯機の正面図
【図３】同ドラム式洗濯機の図２に示される洗濯カゴ装着状態のＸ−Ｘ矢視側断面図
【図４】同ドラム式洗濯機の第一の洗濯槽の拡大断面図
【図５】本発明の実施の形態２におけるドラム式洗濯機の洗濯カゴ装着状態の斜視図
【図６】同ドラム式洗濯機の洗濯カゴ取り出し状態の斜視図
【図７】同ドラム式洗濯機の図５に示される洗濯カゴ装着状態のＹ−Ｙ正面断面図
【図８】本発明の実施の形態３におけるドラム式洗濯機の洗濯カゴの閉状態斜視図
【図９】同ドラム式洗濯機の洗濯カゴの開状態斜視図
【図１０】同ドラム式洗濯機の洗濯カゴの展開斜視図
【図１１】同ドラム式洗濯機の洗濯カゴの図７に示されるＡ部拡大断面図
【発明を実施するための形態】
【００１１】
第１の発明は、回転自在な第一の回転ドラムが内部に配設された第一の洗濯槽と回転自在な第二の回転ドラムが内部に配設された第二の洗濯槽を配備しているドラム式洗濯機において、前記第一、第二の少なくとも一つの回転ドラムに対し、回転ドラム内径に所定の隙間を設けてその外径が形成された中空略円柱形状で、その奥行きは前記第一、第二の洗濯槽のうち対応する洗濯槽の開口部を閉鎖する扉体が閉じられた状態の洗濯槽の洗濯物投入口側と、回転ドラム奥側との間に所定の隙間を設けた長さで形成されている着脱自在な洗濯カゴを備えたことにより、デリケート衣類の損傷を防止するのに適した洗濯をすることができる。また、洗濯カゴは着脱容易であるため、衣類の投入、洗濯後の衣類の取り出しも容易に行うことが可能となる。
【００１２】
第２の発明は、上記第１の発明において、前記洗濯カゴは、側面と背面にハニカム形状の穴を配置したことにより、洗濯槽内部での水流の循環が効率的に行われ、洗浄、すすぎ、脱水の性能を向上することができる。また、穴をハニカム形状に形成、配置することにより、洗濯カゴの外周面および背面の外力に対する必要強度を確保しつつ、水流の通過面積を最大に設定し、水流の循環効率を向上させることができる。
【００１３】
第３の発明は、上記第１または第２の発明において、前記洗濯カゴは、外径が形成された中空略円柱形状の外周面に、開閉できる構造体を設け、前記開閉できる構造体の閉状態を保持する構造を設けたことにより、洗濯カゴを回転ドラムから（洗濯槽から）取り出した状態で衣類の出し入れが容易になるとともに、回転ドラムに装着して衣類を洗濯する際には開閉できる構造体の閉状態がしっかり保持され、回転ドラムとともに回転させても支障を生じない。
【００１４】
第４の発明は、上記第１〜第３のいずれかの発明において、前記洗濯カゴは、前面に引き手を形成し、前記対応する回転ドラムに対する着脱性を容易にしたことにより、デリケート衣類の損傷を防止するのに適した洗濯をする際にも使い勝手がよい。
【００１５】
第５の発明は、上記第１〜第４のいずれかの発明において、前記第一の回転ドラムおよび第二の回転ドラムは、側面内周に衣類を攪拌するための複数の凸部を備え、前記洗濯カゴは、前記第一、第二の回転ドラムのうち対応する回転ドラムの前記凸部に対向する側面外周部分に、前記凸部に沿うように溝部を備えたことにより、前記凸部を案内ガイドとして洗濯カゴを回転ドラムに対し容易に着脱することができる。また、回転ドラム内部に配備された衣類を攪拌するための複数の凸部と、前記凸部に対向する部分に沿うように配備された洗濯カゴの溝部がかみ合い、洗濯カゴを回転ドラムと同期して回転することができる。
【００１６】
第６の発明は、上記第１〜第５のいずれかの発明において、前記第一の回転ドラムおよび第二の回転ドラムは、側面内周に衣類を攪拌するための複数の凸部を備え、前記洗濯カゴは、前記第一、第二の回転ドラムのうち対応する回転ドラムの側面内周に設けられた前記凸部に対向する側面外周部分を可撓性のある材質、形状、形態で構成したことにより、回転ドラム内における洗濯カゴの位置を安定化し、安定した回転を実現するとともに、回転時の騒音の発生を防止することができる。
【００１７】
第７の発明は、上記第６の発明において、前記洗濯カゴの可撓性のある材質は、ゴム等の軟質材料としたことにより、衣類に接する内面は柔軟性があり、デリケートな衣類にも損傷を与えにくく、デリケートな衣類も適切に洗濯することができる。
【００１８】
第８の発明は、上記第６の発明において、前記洗濯カゴの形状は、その一部に蛇腹形状部を設けたことにより、デリケート衣類の洗濯に好適である。
【００１９】
第９の発明は、上記第６の発明において、前記洗濯カゴの形態は、前記溝部の内部にバネ材を組み込んで構成したことにより、回転ドラム内における洗濯カゴの位置を安定化し、安定した回転を実現するとともに、回転時の騒音の発生を防止することができる。
【００２０】
第１０の発明は、上記第５〜第９のいずれかの発明において、前記洗濯カゴは、前記溝部を側面外周の外面に形成することにより、前記側面外周の内面の前記溝部に対応する位置に衣類を攪拌するための突起部を形成したことにより、洗濯カゴ内に収容した洗濯物を回転方向に持ち上げた後ある高さから落下させるという撹拌動作を行うことができ、洗濯の効率を向上させることができる。また、洗濯カゴの製造時に、側面外周の外面の溝部と内面の突起部を同時に形成することができ、製造上の効果も大きい。
【００２１】
以下、本発明の実施の形態に係るドラム式洗濯機につき図１〜図９を参照しながら以下に説明し本発明の理解に供する。なお、以下の説明は本発明の実施の具体例であって、本発明を限定するものではない。
【００２２】
（実施の形態１）
本発明の実施の形態１におけるドラム式洗濯機の概略構成が図１〜図４で説明される。図１は本発明の実施の形態１におけるドラム式洗濯機の斜視図、図２は本発明の実施の形態１におけるドラム式洗濯機の正面図、図３は本発明の実施の形態１におけるドラム式洗濯機の図２で示す第一の洗濯槽および第二の洗濯槽を中心に切断線Ｘ−Ｘで切断した側断面図、図４は前記図３で示される第一の洗濯槽の側断面を拡大したものである。
【００２３】
図１〜図４に示すように、ドラム式洗濯機１００の本体筐体１１０の上部には略水平方向の回転軸を中心に回転自在な前方に開口部を有する有底円筒状の第一の回転ドラム１１１が内部に配設された揺動自在な第一の洗濯槽１１２が配備され、第一の回転ドラム１１１は第一の洗濯槽１１２の背面に外側より取り付けられた第一のモータ１１３によりベルト１１５を介して回転駆動される。第一の洗濯槽１１２も有底円筒状に形成され、その正面側の開口部を閉鎖する開閉可能な扉体１１４が前面に配備される。この扉体１１４を開くことにより第一の回転ドラム１１１内に洗濯物を出し入れできるようにしている。第一の洗濯槽１１２は本体筐体１１０よりばね体とダンパー（いずれも図示せず）により揺動可能に吊り下げて防振支持されている。
【００２４】
本体筐体１１０の下部には略水平方向の回転軸を中心に回転自在な前方に開口部を有する有底円筒状の第二の回転ドラム１５１が内部に配設された揺動自在な第二の洗濯槽１５２が配備され、第二の回転ドラム１５１は第二の洗濯槽１５２の背面に外側より取り付け
られた第二のモータ１５３によりベルト１５５を介して回転駆動される。第二の洗濯槽１５２も有底円筒状に形成され、その正面側の開口部を閉鎖する開閉可能な扉体１５４が前面に配備される。この扉体１５４を開くことにより第二の回転ドラム１５１内に洗濯物を出し入れできるようにしている。第二の洗濯槽１５２も本体筐体１１０よりばね体とダンパー（いずれも図示せず）により揺動可能に吊り下げて防振支持されている。
【００２５】
第二の洗濯槽１５２の上方に配設した第一の洗濯槽１１２は、内部の容積（洗濯容量）を第二の洗濯槽１５２の内部の容積（洗濯容量）より小さくし、有底円筒状の中心を本体筐体１１０の左右方向中心より左右いずれか（本実施の形態では正面から見て右側）にずらせてある。洗濯容量の大きい方の第二の洗濯槽１５２の有底円筒状の中心は、本体筐体１１０の左右方向中心とほぼ一致させてある。
【００２６】
第一の洗濯槽１１２、第二の洗濯槽１５２には、それぞれ洗濯槽内部に水道水を給水する給水手段、洗濯槽内の洗濯水を機外に排水する排水手段、および洗濯槽内の水位を検知する水位検知手段が連通させて設けてあるが、一般的な洗濯機と同様の構成のものであるので、説明は省略し、図示も省略する。
【００２７】
なお、本実施の形態では、第一の回転ドラム１１１および第二の回転ドラム１５１の回転軸心方向を略水平方向に配設しているが、回転軸心方向を正面側から背面側に向けて下向きに傾斜させて配設してもよい。
【００２８】
本実施の形態のドラム式洗濯機は、少なくとも洗い行程、すすぎ行程、脱水行程を行う機能を有した制御手段（図示せず）を備えている。なお、乾燥工程を行うための乾燥系を備えていてもよい。
【００２９】
前記制御手段は、第一の洗濯槽１１２および第二の洗濯槽１５２の入力設定操作表示部（いずれも図示せず）からの設定入力情報をもとに、第一のモータ１１３、第二のモータ１５３、前記給水手段、前記排水手段などの動作を制御し、洗い、すすぎ、脱水等の運転を行う。また、制御手段は、使用者によって選択・入力された運転コースや運転条件等の設定入力情報や運転進行状況等の各種表示情報の入力設定操作表示部への出力も行っている。
【００３０】
さらに、本実施の形態のドラム式洗濯機は、ドラム式洗濯機１００の本体筐体１１０の上部に配備された第一の洗濯槽１１２の回転自在な第一の回転ドラム１１１の内部に着脱自在な洗濯カゴ２００を配備している。この洗濯カゴ２００は扉体１１４を開けば第一の回転ドラム１１１から取り出し可能である。また、洗濯カゴ２００を第一の回転ドラム１１１から取り出した状態でもドラム式洗濯機１００は洗濯運転可能である。
【００３１】
洗濯カゴ２００は、第一の洗濯槽１１２の第一の回転ドラム１１１内径に所定の隙間を設けてその外径を形成された中空略円柱形状である。また、その奥行きは第一の洗濯槽１１２の開口部を閉鎖する扉体１１４が閉じられた状態の第一の洗濯槽１１２の洗濯物投入口側と、第一の回転ドラム１１１の奥側との間に所定の隙間を設けた長さで形成されている。
【００３２】
回転自在な第一の回転ドラム１１１の側面内周には、衣類を効率的に攪拌するのに適した凸部１１６を配備している。第一の洗濯槽１１２の回転自在な第一の回転ドラム１１１内部に装着された洗濯カゴ２００は、衣類を効率的に攪拌するのに適した凸部１１６に規制され、第一の回転ドラム１１１の回転によって同期して回転させられ、第一の洗濯槽１１２の運転時には、少なくとも洗い行程、すすぎ行程、脱水行程を効率的に行うことが出来る。回転自在な第二の回転ドラム１５１の側面内周にも、衣類を効率的に攪拌するのに
適した凸部１５６を配備している。
【００３３】
以上のように構成されたドラム式洗濯機について、以下その動作、作用を説明する。
【００３４】
第一の洗濯槽１１２と第二の洗濯槽１５２の各々の扉体１１４、１５４を開け、前方に設けた開口部（洗濯物投入口）から繊維素材や色彩毎にそれぞれ分別した衣類等の洗濯物を各々第一の回転ドラム１１１、第二の回転ドラム１５１に投入し、扉体１１４、１５４を閉めた後、第一の洗濯槽１１２と第二の洗濯槽１５２のそれぞれの入力設定操作表示部により各洗濯槽の行程内容を設定し、各々運転を開始する。
【００３５】
制御手段は、各回転ドラム内の洗濯物の量に応じて最適な水位を設定し、給水手段を制御して、回転ドラム１１１、１５１内および洗濯槽１１２、１５２内に給水を行う。そして、水位検知手段によって水位を検知し、設定された水位に達したら、給水を終了し、モータ１１３、１５３を制御し、回転ドラム１１１、１５１を回転させ、各々の洗濯槽１１２、１５２で設定された洗い行程を行う。
【００３６】
各洗い行程終了後、排水手段を制御して各洗濯槽１１２、１５２から洗濯水を排水し、脱水した後、再び給水手段を制御して、回転ドラム１１１、１５１内および洗濯槽１１２、１５２内に給水を行う。そして、水位検知手段によって水位を検知し、設定された水位に達したら、給水を終了し、モータ１１３、１５３を制御し、回転ドラム１１１、１５１を回転させ、各々の洗濯槽１１２、１５２で設定されたすすぎ行程を行う。すすぎ行程終了後、排水手段を制御して各々の洗濯槽１１２、１５２からすすぎ後の水を排水し、各最終脱水を行って運転を終了する。
【００３７】
上記の洗い行程、すすぎ行程、脱水行程の実施に際し、本体筐体１１０の上部に配備された第一の洗濯槽１１２の回転自在な第一の回転ドラム１１１の内部には着脱自在な洗濯カゴ２００を配備しているので、洗い行程、すすぎ行程、脱水行程において手荒い扱いを受けると損傷しやすいデリケート衣類はこの洗濯カゴ２００に入れて第一の回転ドラム１１１内に装着して洗濯すれば、損傷を防止するのに適した洗濯をすることができる。また、第一の洗濯槽１１２に対し着脱容易な洗濯カゴ２００であるため、衣類の投入、洗濯後の衣類の取り出しも容易に行うことが可能となるので、デリケート衣類の損傷を防止することができる。
【００３８】
制御手段は、二つの洗濯槽１１２、１５２を各々別のコースで運転（洗い、すすぎ、脱水）することを可能にし、繊維素材や色彩毎に分別した洗濯物をそれぞれに適した洗濯コースで同時に運転することができ、時間の有効活用ができるよう構成してある。なお、第一の洗濯槽１１２と第二の洗濯槽１５２は、いずれか一方のみを運転することももちろん可能である。
【００３９】
（実施の形態２）
本発明の実施の形態２におけるドラム式洗濯機は、上記実施の形態１におけるドラム式洗濯機の洗濯カゴにさらなる特徴を備えたものである。他の構成は上記実施の形態１と同じであり、詳細な説明は省略する。
【００４０】
本発明の実施の形態２におけるドラム式洗濯機と洗濯カゴの概略構成が図３〜図７で説明される。図３は前記図２で示す第一の洗濯槽および第二の洗濯槽を中心に切断線Ｘ−Ｘで切断した側断面図、図４は前記図３で示される第一の洗濯槽の側断面を拡大したものである。図５は第一の洗濯槽に洗濯カゴが装着された状態を示す斜視図、図６は第一の洗濯槽より洗濯カゴが取り出された状態を示す斜視図、図７は前記図５に示されたドラム式洗濯機を切断線Ｙ−Ｙで切断した正面断面図である。
【００４１】
図３〜図７で示すように、ドラム式洗濯機１００の本体筐体１１０の上部に配備された第一の洗濯槽１１２の回転自在な第一の回転ドラム１１１内部に配備された着脱自在な洗濯カゴ２００は、第一の洗濯槽１１２の第一の回転ドラム１１１内径に所定の隙間を設けてその外径を形成された中空略円柱形状である。また、その奥行きは第一の洗濯槽１１２の開口部を閉鎖する扉体１１４が閉じられた状態の第一の洗濯槽１１２の洗濯物投入口側と、第一の回転ドラム１１１の奥側との間に所定の隙間を設けた長さで形成されている。
【００４２】
洗濯カゴ２００の側面外周には、複数（本実施の形態では３本）の案内溝２５０（溝部）が均等な角度（本実施の形態では１２０°）で等配配備されている。これらの案内溝２５０は、第一の洗濯槽１１２の回転自在な第一の回転ドラム１１１の側面内周に配備された衣類を効率的に攪拌するための複数（本実施の形態では３本）の凸部１１６に対向する部分に沿うように配備されている。
【００４３】
洗濯カゴ２００は、衣類の投入、洗濯後の衣類の取り出しの際に第一の回転ドラム１１１内の定位置に対し出し入れする必要があり、上記の案内溝２５０により、衣類を効率的に攪拌するための凸部１１６を案内ガイドとして、洗濯カゴ２００を容易に定位置に装着することができる。また、第一の洗濯槽１１２の洗濯運転に際しては、洗濯カゴ２００は、上記の案内溝２５０により、衣類を効率的に攪拌するのに適した凸部１１６に規制され、第一の回転ドラム１１１の回転と同期して回転させられ、少なくとも洗い行程、すすぎ行程、脱水行程を効率的に行うことができる。
【００４４】
洗濯カゴ２００側面外周の案内溝２５０と第一の回転ドラム１１１の側面内周の凸部１１６とは、定位置において確実に嵌り合い、かつ着脱自在であれば、いかなる形状でもよく、例えば、第一の回転ドラム１１１の回転方向に対して傾斜させて設けたり、曲線的に設けてもよいが、第一の回転ドラム１１１の回転方向に対して直交させて設けると、洗濯カゴ２００の第一の回転ドラム１１１内の定位置に対する出し入れの作業性が最適となる。
【００４５】
また、複数（本実施の形態では３本）の案内溝２５０は、洗濯カゴ２００の外周上に均等な角度で等配することにより、第一の洗濯槽１１２の洗濯運転に際し、第一の回転ドラム１１１内に回転位置によらず安定して規制支持され、第一の回転ドラム１１１を回転させる第一のモータ１１３の負荷の変動を抑制することができるとともに、洗濯カゴ２００と第一の回転ドラム１１１との衝突による騒音の発生を防止することができる。
【００４６】
（実施の形態３）
本発明の実施の形態３におけるドラム式洗濯機は、上記実施の形態１または２におけるドラム式洗濯機の洗濯カゴにさらなる特徴を備えたものである。他の構成は上記実施の形態２と同じであり、詳細な説明は省略する。
【００４７】
本発明の実施の形態３における洗濯カゴの概略構成が図８〜図１１で説明される。図８は、洗濯カゴの閉状態の斜視図、図９は、洗濯カゴの開状態の斜視図、図１０は洗濯カゴの展開斜視図、図１１は、前記図７に示されるＡ部の拡大断面図である。
【００４８】
図８、図１０で示すように、着脱自在な洗濯カゴ２００前面には、引き手２１３が配備され、第一の洗濯槽１１２の回転自在な第一の回転ドラム１１１に容易に装着、取り出しすることが可能である。
【００４９】
洗濯カゴ２００の外周面のそれぞれ約半分を構成するカゴ上部カバー２１０（開閉できる構造体）、カゴ下部カバー２１１、および背面の大部分を構成するカゴ背面カバーＡ２
１５、カゴ背面カバーＢ２１６には、ハニカム形状の多数個の穴を設けており、第一の洗濯槽１１２内部での水流の循環が効率的に行われ、洗浄、すすぎ、脱水の性能を向上させている。また、多数個の穴をハニカム形状に形成、配置することにより、洗濯カゴ２００の外周面および背面の外力に対する必要強度を確保しつつ、水流の通過面積を最大に設定し、水流の循環効率を向上させている。
【００５０】
また、図９に示すように、洗濯カゴ２００のカゴ上部カバー２１０は、開閉自在な廻動構造で、洗濯カゴ２００への衣類投入、取り出しに便利な構造としてある。また、図８に示すように、カゴ上部カバー２１０の閉位置では、保持フック２１４で確実に閉状態を保持することが可能な構成としてある。これにより、洗濯カゴ２００を第一の回転ドラム１１１から（第一の洗濯槽１１２から）取り出した状態で衣類の出し入れが容易になるとともに、第一の回転ドラム１１１内に装着して衣類を洗濯する際にはカゴ上部カバー２１０の閉状態が保持フック２１４によってしっかり保持され、第一の回転ドラム１１１とともに回転させても支障を生じない。
【００５１】
また、カゴ上部カバー２１０、カゴ下部カバー２１１、双方が開閉自在な廻動構造であってもよい。双方を開閉自在な廻動構造とすれば、洗濯終了後、洗濯カゴ２００を第一の回転ドラム１１１から取り出した際に、カゴ上部カバー２１０、カゴ下部カバー２１１のうち、その状態で上方に位置する側のカバーを開いて洗濯物を取り出すことができ、使い勝手がよい。
【００５２】
また、双方の閉位置保持を一個または、複数個の保持フック２１４で行ってもよい。
【００５３】
洗濯カゴ２００のカゴ上部カバー２１０、カゴ下部カバー２１１、およびそれらを支持するカゴフレーム２１２の一部は、可撓性のある材質、形状、形態で構成されている。特に、第一の回転ドラム１１１の側面内周に設けられた凸部１１６に対向する側面外周部分は可撓性のある材質、形状、形態で構成されている。この構成により、第一の回転ドラム１１１内における洗濯カゴ２００の位置を安定化し、安定した回転を実現するとともに、回転時の騒音の発生を防止することができる。
【００５４】
可撓性のある材質は、本実施の形態では軟質材料（例えばゴム）である。また、図示はしないが、その形状の一部に蛇腹形状部を配備している。上記構成によれば、衣類に接する内面は柔軟性があり、デリケートな衣類にも損傷を与えにくい。例えばランジェリーのようなデリケートな衣類も容易に洗濯することができる。
【００５５】
また、図１１に示すように、洗濯カゴ２００は、カゴ上部カバー２１０、カゴ下部カバー２１１およびカゴフレーム２１２の案内溝２５０（溝部）を構成する部分の内部に板バネ２１８（バネ材）をインサート成形等により組み込んで構成された形態を有している。この板バネ２１８は外方向に付勢されて組み込まれており、洗濯カゴ２００が第一の回転ドラム１１１内部に装着されると、案内溝２５０を第一の回転ドラム１１１の凸部１１６に付勢して双方の間の隙間をなくし、第一の回転ドラム１１１内における洗濯カゴ２００の位置を安定化し、安定した回転を実現するとともに、回転時の騒音の発生を防止することができる。
【００５６】
また、洗濯カゴ２００は、案内溝２５０（溝部）を外周の外面に形成することにより、外周の内面上の、外面に設けられた案内溝２５０と対応する位置に突起部２１７を形成している。突起部２１７は、洗濯カゴ２００内に収容した洗濯物を回転方向に持ち上げた後ある高さから落下させるという撹拌動作を行うことにより、洗濯の効率を向上させるものである。本実施の形態では、洗濯カゴ２００のカゴ上部カバー２１０、カゴ下部カバー２１１、およびそれらを支持するカゴフレーム２１２をほぼ均一な厚さで構成することによ
り、樹脂成形加工や板金加工によって案内溝２５０（溝部）を形成することにより、案内溝２５０と対応する内面上の位置に突起部２１７が形成されるよう構成している。
【００５７】
なお、上記の各実施の形態では、２つの洗濯槽を有するドラム式洗濯機の上側に位置する洗濯槽に洗濯カゴを備えた形態について記載したが、洗濯カゴを下側に位置する洗濯槽に備えたもの、両側の洗濯槽に備えたもの、さらには洗濯槽を１つしか備えていないドラム式洗濯機に対しても本発明は同様の効果を得ることができる。
【産業上の利用可能性】
【００５８】
以上のように、本発明にかかるドラム式洗濯機は、第一の洗濯槽と第二の洗濯槽を配備するドラム式洗濯機において、デリケートな衣類の洗濯をする様々な洗濯態様に好適に利用されるドラム式洗濯機等として有用である。
【符号の説明】
【００５９】
１００  ドラム式洗濯機
１１０  本体筐体
１１１  第一の回転ドラム
１１２  第一の洗濯槽
１１３  第一のモータ
１１４  扉体
１１５  ベルト
１１６  凸部
１５１  第二の回転ドラム
１５２  第二の洗濯槽
１５３  第二のモータ
１５４  扉体
１５５  ベルト
１５６  凸部
２００  洗濯カゴ
２１０  カゴ上部カバー（開閉できる構造体）
２１１  カゴ下部カバー
２１２  カゴフレーム
２１３  引き手
２１４  保持フック
２１５  カゴ背面カバーＡ
２１６  カゴ背面カバーＢ
２１７  突起部
２１８  板バネ（バネ材）
２５０  案内溝（溝部）
【図１】
2017121394.tif 000003
【図２】
2017121394.tif 000004
【図３】
2017121394.tif 000005
【図４】
2017121394.tif 000006
【図５】
2017121394.tif 000007
【図６】
2017121394.tif 000008
【図７】
2017121394.tif 000009
【図８】
2017121394.tif 000010
【図９】
2017121394.tif 000011
【図１０】
2017121394.tif 000012
【図１１】
2017121394.tif 000013